(57)【特許請求の範囲】
【請求項１】
室内熱交換器と、この熱交換器の前面に隣接して設けられたフィルタ保持枠と、このフィルタ保持枠の前面側に着脱自在に取付けられ内部にフィルタ集塵部を収納するフィルタケースとを備えた空気調和装置において、
前記フィルタケースは、
その下部に設けられ、内側が前後方向に貫通し前記熱交換器の前面に対向する開口となった把手部と、
その両側に設けられた係合部および案内突起部と、
を有し、
前記フィルタ保持枠は、
前記フィルタケースを取付けた状態において前記フィルタケースの把手部と前記熱交換器前面との間に介在される、ほぼ平板状をなし、前記熱交換器に人の指先が接触しないような大きさの多数の開口が形成された障壁部と、
その両側に設けられたフィルタ保持板であって、前記フィルタケースの係合部を係止する係止部と、前記フィルタケースの案内突起部を案内する案内部とが形成されたフィルタ保持板と、
を有し、
前記フィルタケースの係合部が、後方へ押し付けられることによって前記フィルタ保持枠の係止部に係止され、前方へ引くことによってフィルタ保持枠の係止部から外れるように構成されている、
ことを特徴とする空気調和機。
【発明の詳細な説明】
【０００１】
【発明の属する技術分野】
本発明は、空気調和機に係り、とりわけ、室内熱交換器の前面に隣接して設けられたフィルタ保持枠と、このフィルタ保持枠の前面側に着脱自在に取付けられるフィルタケースとを備え、このフィルタケースに着脱用の把手が設けられた空気調和機に関する。
【０００２】
【従来の技術】
図１２に示す従来の空気調和機の室内機は、室内熱交換器１１０の前面側に隣接して着脱自在に取付けられたフィルタケース１０７を備えている。このフィルタケース１０７は、電気集塵式空気清浄器の放電部１７０と集塵部１７２とを内蔵している。そして、吸込グリル１０２から吸い込まれた室内空気が、まずプレフィルタ１３０を通過し、次いでフィルタケース１０７内を通る際、この室内空気に含まれる塵等が電気的に集塵されるようになっている。
【０００３】
このような空気調和機においては、適当な期間毎に、フィルタケース１０７を取り外してこれを丸洗い洗浄する必要がある。このため、フィルタケース１０７は、通常はフィルタ保持枠（図示せず）に固定保持され、洗浄時にこの保持枠から取り外されるように構成されている。また、図１２及び図１３に示すように、フィルタケース１０７の下部には、着脱時に手で掴むための把手部１３４が設けられている。
【０００４】
この把手部１３４は、図１３及び図１４に示すように、枠状の把手本体１３５と、この把手本体１３５の熱交換器１１０側に設けられた障壁部１３６, １３７とを有している。これらの障壁部１３６, １３７は、把手本体１３５を手で掴む際に、熱交換器１１０のフィンによって指先を傷つけないようにするための複数の桟から構成されるものであり、把手本体１３５の外側に形成された外側障壁部１３６と、同じく内側に形成された内側障壁部１３７とに分けられる。
【０００５】
【発明が解決しようとする課題】
上述したような従来の空気調和機には、以下のような問題点がある。まず、図１４に示すように、上記把手部１３４は、把手本体１３５の手で掴める部分の奥行が、全体の奥行Ｈに対して障壁部１３６, １３７の厚さｈの分だけ浅くなってしまっている。このため、フィルタケース１０７の取り外しの際に、把手本体１３５を手で掴みにくいものとなっている。
【０００６】
また、把手本体１３５の内側に内側障壁部１３７があるために、把手本体１３５を手で完全に握ることができない。このため、取り外し後のフィルタケース１０７の持ち運びがしにくく、また上記丸洗い洗浄時にもフィルタケース１０７ごと水に浸けて振る等の操作が行いにくいという問題がある。
【０００７】
本発明は、このような点を考慮してなされたものであり、フィルタケースの着脱時に指先が熱交換器に触れないようにしつつ、フィルタケースの把手部を掴みやすくした空気調和機を提供することを目的とする。
【０００８】
本発明は、室内熱交換器と、この熱交換器の前面に隣接して設けられたフィルタ保持枠と、このフィルタ保持枠の前面側に着脱自在に取付けられ内部にフィルタ集塵部を収納するフィルタケースとを備えた空気調和装置において、前記フィルタケースは、その下部に設けられ、内側が前後方向に貫通し前記熱交換器の前面に対向する開口となった把手部と、その両側に設けられた係合部および案内突起部と、を有し、前記フィルタ保持枠は、前記フィルタケースを取付けた状態において前記フィルタケースの把手部と前記熱交換器前面との間に介在される、ほぼ平板状をなし、前記熱交換器に人の指先が接触しないような大きさの多数の開口が形成された障壁部と、その両側に設けられたフィルタ保持板であって、前記フィルタケースの係合部を係止する係止部と、前記フィルタケースの案内突起部を案内する案内部とが形成されたフィルタ保持板と、を有し、前記フィルタケースの係合部が、後方へ押し付けられることによって前記フィルタ保持枠の係止部に係止され、前方へ引くことによってフィルタ保持枠の係止部から外れるように構成されている、ことを特徴とする空気調和機である。
【０００９】
この空気調和機によれば、フィルタケースに設けられた把手部の内側が、前後方向に貫通する開口となっているので、把手部を手で完全に握ることができる。また、フィルタ保持枠に、フィルタケースを取付けた状態においてフィルタケースの把手部と熱交換器前面との間に介在される障壁部を設けたので、この障壁部によって、フィルタケースの着脱時に手の指先が熱交換器に触れないようにすることができる。この場合、障壁部は把手部ではなくフィルタ保持枠に設けられているので、把手部の奥行きを十分大きくとることができるとともに、把手部の開口を通してより奥の方まで指を入れることができる。
【００１３】
また、障壁部を通して熱交換器へ室内空気を流すことができるので、空調能力を確保する上で有利である。
【００１６】
すなわち、障壁部における熱交換器への室内空気の流通を確保しつつ、熱交換器への指先の接触を確実に防止することができる。
【００２２】
【発明の実施の形態】
次に、図面を参照して本発明の一実施形態について説明する。図１乃至図１１は本発明による空気調和機の実施の形態を示す図である。
【００２３】
まず、図７は、空気調和機の室内機１の前面側１ａにある吸込グリル２を開け、プレフィルタ３を外し、さらに室内機１本体に取り付けられたフィルタ保持枠５からフィルタケース７と脱臭フィルタ９を取り外した状態を示す。
【００２４】
また、図５及び図６は、空気調和機の室内機１の概略構成を示す断面図である。図５は吸込グリル２が閉められた状態を示し、図６は吸込グリル２が開けられた状態を示す。
【００２５】
図５において、室内機１の内部には、前方上部に集塵フィルタ部１０が設けられており、集塵フィルタ部１０の後方には室内熱交換器１１ａ，１１ｂ，１１ｃが配設されており、中央部にはファン１２が配設されている。室内熱交換器１１ａ，１１ｂの下方にはドレイン１３, １３ａが配設され、ドレイン１３の下方には可動のルーバを有する吹出口１４が設けられている。室内機１本体全体は前面パネル３０でおおわれ、この前面パネル３０の上面には上部グリル２ａが設けられている。
【００２６】
ファン１２の回転により室内の空気が吸込グリル２と上部グリル２ａを介して室内機１内へ吸引される。吸引された空気は、プレフィルタ３によってまず予備的に大きな塵等が取り除かれ、さらに集塵フィルタ部１０で塵が除去されるとともに脱臭フィルタ９によって脱臭され、室内熱交換器１１ａ，１１ｂ，１１ｃで熱交換を受ける。
【００２７】
室内熱交換器１１ａ，１１ｂ，１１ｃの冷媒配管には、図示しない室外機によって冷媒が送り込まれている。冷媒は、冷房モードと暖房モードの各モードに応じた流れ方向で冷媒配管内を循環する。室内熱交換器１１ａ，１１ｂ，１１ｃで熱交換された空気は吹出口１４を介して室内へ戻される。室内熱交換器１１ａ，１１ｂ，１１ｃで結露した空気中の水分はドレイン１３，１３ａに導かれ、室外へ除去される。
【００２８】
次に、集塵フィルタ部１０について詳細に説明する。集塵フィルタ部１０は、室内機１本体に取り付けられたパネル状のフィルタ保持枠５と、フィルタ保持枠５に着脱自在に装着されるフィルタケース７とを備えている。また、図１または図７に示すように、フィルタ保持枠５にはフィルタケース７の左側に着脱自在に脱臭フィルタ９が装着される。
【００２９】
上記フィルタケース７は、図２に示すように、横長の矩形状の形状を有し、その下部には把手部３４が設けられている。この把手部３４の内側は、図１及び図５に示すように、前後方向に、すなわちフィルタケース７をフィルタ保持枠５に取付けた状態において熱交換器１１ａ側に向かって貫通する開口３４ａとなっている。なお、図２に示すように、把手部３４の内側には、手をかけたときに手の指が位置決めされやすいように波形状凹凸部３６が形成されている。また、図５に示すように、フィルタケース７は、内部に電気集塵式空気清浄器の放電部７０及び集塵部（フィルタ）７２を収納し、上記プレフィルタ３を通過した塵等を電気的に集塵するように構成されている。
【００３０】
図３に示すように、上記フィルタ保持枠５は、その端部固定部１５においてビスによって室内機１本体内の室内熱交換器１１ａの前面側端板にビス留めされて取り付けられている。また、図３及び図４に示すように、フィルタ保持枠５の外周枠部５ａは、集塵フィルタ部１０の前面側にある前面パネル３０の格子部分３０ａによって室内機１の前面側から覆われ、後面側に向かって押し付けられている（図３の斜線部分参照）。
【００３１】
これによって、フィルタ保持枠５は、端部固定部１５において室内機１本体に固定されるとともに外周枠部５ａを前方パネル格子部分３０ａで覆われることによって、外周枠部５の浮きを防止するとともに、押しつけることで稼働中における振動等が防止されるようになっている。
【００３２】
図３乃至図５に示すように、フィルタ保持枠５の下部には、合成樹脂によってフィルタ保持枠５と一体に成型された障壁部５０が設けられている。この障壁部５０は、図１、図５及び図８に示すように、フィルタ保持枠５にフィルタケース７を取付けた状態において、フィルタケース７の把手部３４と熱交換器１１ａとの間に介在されるようになっている。なお、前面パネル３０において、フィルタ保持枠５に設けられた障壁部５０に対応する部分には切欠が形成されている。
【００３３】
また、この障壁部５０は、図８に最も良く示されるように、フィルタ保持枠５の外周枠部５ａと略同一の厚さに形成することが好ましい。そのようにすることで、フィルタケース７と熱交換器１１ａとの間に元々あるフィルタ保持枠５の厚み分の間隙を有効利用でき、フィルタケース７の把手部３４の位置における各部の前後方向の厚み寸法に影響を与えずに済むからである（図５参照）。
【００３４】
なお、フィルタ保持枠５に障壁部５０を設けることに代えて、前面パネル３０を障壁部５０の位置まで延長させることも考えられなくはない。しかしながら、前面パネル３０は、フィルタ保持枠５と異なり、熱交換器１１ａから十分離して設ける必要がある。これは、図５に示すように、前面パネル３０は吹出口１４近傍まで下方に延びているので、熱交換器１１ａによる冷却で結露した水分が前面パネル３０を伝わって吹出口１４から流出しないようにする必要があるからである。従って、熱交換器１１ａから離れた前面パネル３０を障壁部５０の位置まで延長させる構成では、上述したような間隙の有効利用ができず、また把手部３４の開口３４ａを通して指を入れられる奥行きが浅くなってしまう。
【００３５】
ここで、図３及び図４に示すように、障壁部５０は、熱交換器１１ａへの室内空気の流通を確保するために、複数の桟５２同士の間にそれぞれ開口５４が形成された構造を有している。なお、このような障壁部５０に代えて、図１０（ａ）に示すような多数の開口５６を形成する格子によって構成される障壁部５０Ａを設けてもよい。この場合、障壁部５０又は５０Ａの開口部５４又は５６は、熱交換器１１ａに人の指先が接触しないような大きさに形成される。
【００３６】
ここで、図１０（ｂ）に示すような、ほぼ平板状の障壁部５０Ｂを設けてもよいが、空気調和機の空調能力を確保する観点からは、上記障壁部５０, ５０Ａのように熱交換器１１ａへの室内空気の流通を確保できるような開口部を有するものを設けることが好ましい。
【００３７】
次に、フィルタ保持枠５に対するフィルタケース７の取付構造について詳細に説明する。図１、図３及び図４に示すように、フィルタケース７が装着されるフィルタ保持枠５の両側にはフィルタ保持板２０が立設されている。一方、図２に示すように、フィルタケース７の両側の側面には、突出した係合部３１と、係合部３１から所定長さだけ上方に位置する案内突起部３２とが設けられている。図８または図９に示すように、係合部３１は円筒形状を有し、案内突起部３２は奥側（上側）に円筒形状の円筒部３２ａを有し手前側は板形状の板状部３２ｂを有する。
【００３８】
図４に示すように、フィルタ保持板２０には、係止部２２と案内部２４が形成されている。係止部２２には、室内機１の前面側１ａへ向かって開口する開口部２２ａと、室内機１の前面側１ａから後面側に向かって開口部２２ａから延びる係止溝部２２ｂが形成されている。
【００３９】
係止溝部２２ｂの上部には、爪２２ｃが設けられ、下部には保持部２２ｄが設けられる。フィルタ保持枠２２及びフィルタ保持板２０はともに合成樹脂製で一体化され、爪２２ｃは、弾性を有し、力を加えた場合、上下方向にわずかに曲がるように形成されている。一方、保持部２２ｄは、ほとんど変形しないように強固に形成されている。フィルタケース７の係合部３１は、図８に示すように、開口部２２ａから嵌入されて係止溝部２２ｂの上端部において、爪２２ｃと保持部２２ｄにはさまれて保持される。
【００４０】
ここで、吸込グリル２を開けた状態で、係止部２２の開口部２２ａは室内機１本体の前面に面しているので、外部からその位置を容易に視認することができる。また、案内部２４には、室内機１本体の前面側１ａに対して斜め下方に向かって開口し開口部２２ａの近傍に位置する開口部２４ａと、開口部２４ａから斜め後部上方に延びる切り溝２４ｂが形成されている。切り溝２４ｂの奥端部２４ｃは半円状に形成され、図８に示すように、案内突起部３２の円筒部３２ａの先端部が隙間なく奥端部２４ｃに当接できるように形成されている。
【００４１】
次に、図８および図９を参照して、係合部３１の係止部２２に対する取り付け取り外しと、案内突起部３２の案内部２４に対する取り付け取り外しについて説明する。
【００４２】
図８は、フィルタケース７がフィルタ保持枠５に取り付けられている状態を示す。図８において、案内突起部３２の円筒部３２ａは、開口部２４ａから挿入され切り溝２４ｂに沿って案内され奥端部２４ｃに当接する。案内突起部３２の板状部３２ｂは、その挿入方向手前側の端部が切り溝２４ｂを形成する上面に接触しながら切り溝２４ｂの奥方向へ案内される。円筒部３２ａが奥端部２４ｃに当接した位置で、フィルタケース７を前面側から後面側に押し込むことで係合部３１である円筒形状の突起が爪２２ｃを上方に押し曲げ、切り溝２２ｂの入り口を押し広げる。
【００４３】
そして、さらに力を加えると突起３１は、爪２２ｃの先端を乗り越え、切り溝２２ｂの内部に嵌まり込む。この位置で突起３１は上方を爪２２ｃの基部で、下方を保持部２２ｄで挟み込まれ固定される。すなわち、係合部３１が係止部２２に嵌入され、これと同時に板状部３２ｂの端部の切り溝２４ｂ上面への接触が解かれ、切り溝２４ｂと平行な位置関係になる。
【００４４】
図９は、フィルタケース７をフィルタ保持枠５から取り外す手順を示す。図９において、はじめ、フィルタケース７とフィルタ保持枠５は図８に示す状態にある。まず、把手部３４の波形状凹凸部３４ａに手をかけ、Ｃ方向、すなわち室外機１本体の前面部１ａの手前に向かう方向または手前斜め上方へ把手部３４を引く。
【００４５】
このとき、案内突起部３２の円筒部３２ａは奥端部２４ｃに当接したまま回転し、案内突起部３２の板状部３２ｂは、切り溝２４ｂを形成する上面に接触するまで移動する。同時に、係合部３１である円筒形状の突起が爪２２ｃを上方に押し曲げ、係止溝部２２ｂの入り口を押し広げ最終的に、爪２２ｃの先端を乗り越え、係止溝部２２ｂの外に外れて前面部１ａから手前に向かって移動し板状部３２ｂが係止溝部２４ｂ上面に接触すると同時に移動を止める。
【００４６】
次に、把手部３４をＤ方向、すなわち室外機１本体の下方方向または下方斜め手前方向へ引く。案内突起部３２の円筒部３２ａは係止溝部２４ｂの奥端部２４ｃから離れ、案内突起部３２の板状部３２ｂは係止溝部２４ｂを形成する上面に接触しながら下方へ案内され、案内突起部３２の円筒部３２ａが開口部２４ａを抜け出て、案内突起部３２が案内部２４から取り外される。
【００４７】
次に、以上のような構成よりなる本実施形態の作用効果について説明する。本実施形態によれば、フィルタケース７に設けられた把手部３４の内側が、前後方向に貫通する開口３４ａとなっているので、把手部３４を手で完全に握ることができる。また、フィルタ保持枠５に、フィルタケース７を取付けた状態においてフィルタケース７の把手部３４と熱交換器１１ａとの間に介在される障壁部５０を設けたので、この障壁部５０によって、フィルタケース７の着脱時に手の指先が熱交換器に触れないようにすることができる。
【００４８】
この場合、障壁部５０は、フィルタケース７の把手部３４ではなくフィルタ保持枠５に設けられているので、把手部３４の奥行きを十分大きくとることができる。また、前面パネル３０を障壁部５０の位置まで延長する場合に比べ、フィルタケース７の把手部３４の開口３４ａを通してより奥の方まで指を入れることができる。
【００４９】
このため、フィルタケース７の着脱時に手の指先が熱交換器１１ａに触れないようにしつつ、フィルタケース７の把手部３４を掴みやすくしてフィルタケース７の着脱を容易にすることができる。また、フィルタケース７の把手部３４を手で完全に握ることができるので、フィルタケース７の持ち運びがしやすくなるとともに、図１１に示すように、フィルタケース７の丸洗い洗浄時にもフィルタケース７ごと水に浸けて振る等の操作が行いやすくなる。
【００５０】
さらに、フィルタケース７の把手部３４に波形状凹凸部３４ａが形成されているので、作業者は、手の指を把手部の内側の波形状凹凸部に密接に接触させ、把手部を確実に握ることができる。
【００５１】
また、フィルタケース７に設けられた係合部３１が、室内機１の前面側１ａから後面側へ向かう方向へ押し付けられることによってフィルタ保持枠７に形成された係止部２２に係止され、また、室内機１の後面側から前面側１ａへ向かう方向へ引くことによって係合部３１が係止部２２から外れるように構成されているので、フィルタケース７をフィルタ保持枠５に対し、安全に確実に容易に取り付けと取り外しを行うことができる。
【００５２】
フィルタケース７には案内突起部３２が設けられ、フィルタ保持枠５には案内部２４が形成され、係合部３１が係止部２２からはずれた状態で案内突起部３２が案内部２４に案内されるように構成されているので、フィルタケース７をフィルタ保持枠５に対し、さらに安全に確実に容易に取り付けと取り外しを行うことができる。
【００５３】
案内部２４には係止溝部２４ａが形成されており、案内突起部３２の挿入方向手前側の端部が係止溝部２４ｂを形成する上面に沿って案内されるように構成されているので、案内突起部３２の係止溝部２４ｂ内の移動方向を単一に定めることができ、フィルタケース７をフィルタ保持枠５に対し、安全に確実に容易に取り付けと取り外しを行うことができる。
【００５４】
吸込グリル２を開けた状態で、係止部２２の開口部２２ａは室内機１本体の前面に面しているので外部からその位置を容易に視認することができ、手探りで作業を行うことなく確実にフィルタケース７の取り付け取り外し作業を行うことができる。
【００５５】
案内突起部３２の円筒部３２ａが係止溝部２４ｂの奥端部２４ｃに当接した位置にあるときに係合部３１は係止部２２の開口部２２ａへ嵌入可能な位置にあるので、円筒部３２ａが奥端部２４ｃに当接することを待つことによって係合部３１を係止部２２へ容易に嵌入させることができる。
【００５６】
フィルタ保持枠５の外周枠部５ａは、集塵フィルタ部１０の前面側にある前方パネル３０の格子部分３０ａによって室内機１本体の前面側１ａから後面側に向かっておおわれかつ押し付けられているので、フィルタ保持枠５は端部固定部１５においてビス留めされるだけで、稼働中における振動等を有効に防止することができる。
【００５７】
なお、上述の説明においては、係止部２２を開口部２４ａを形成して凹状に形成し、係止部３１を凸状に形成した例を示したが、係止部を凸状に形成し係止部を開口部を形成して凹状に形成してもよい。
【００５８】
【発明の効果】
以上説明したように、本発明によれば、フィルタケースの着脱時に手の指先が熱交換器に触れないようにしつつ、フィルタケースの把手部を掴みやすくしてフィルタケースの着脱を容易にすることができる。また、フィルタケースの把手部を手で完全に握ることができるので、フィルタケースの持ち運びがしやすくなるとともに、丸洗い洗浄時にもフィルタケースごと水に浸けて振る等の操作が行いやすくなる。
【図面の簡単な説明】
【図１】本発明による空気調和機の一実施形態における、室内機のフィルタケースの取付状態を（吸込グリルを開けてプレフィルタを外した状態で）示す正面図。
【図２】図１に示す空気調和機の室内機のフィルタケースを示す平面図。
【図３】図１に示す空気調和機の室内機において、フィルタケースを取り外した状態を示す図。
【図４】図３に示す状態を右斜め下方から見た部分斜視図。
【図５】図１に示す空気調和機の室内機において、吸込グリルが閉じた状態を示す横断面図。
【図６】図１に示す空気調和機の室内機において、吸込グリルが開いた状態を示す図。
【図７】図１に示す空気調和機の室内機において、室内パネルを開け空気清浄用フィルタを取り外すことを説明するための斜視図。
【図８】図１に示す空気調和機の室内機において、フィルタケース、フィルタ保持枠、前面パネル及び室内熱交換器の関係を、フィルタ保持枠のフィルタ保持板部分における横断面で示す図。
【図９】フィルタケースがフィルタ保持枠から取り外される手順を示した、図８と同様の図。
【図１０】図１に示す空気調和機のフィルタ保持枠における、障壁部の他の形態を示す図。
【図１１】図２に示すフィルタケースを丸洗い洗浄する様子を示す斜視図。
【図１２】従来の空気調和機における空気清浄用フィルタ周辺を示す横断面図。
【図１３】図１２に示す空気調和機のフィルタケースを示す斜視図。
【図１４】図１２のフィルタケースの把手部分を拡大して示す図。
【符号の説明】
１  室内機
１ａ  室内機の前面側
２  吸込グリル
３  プレフィルタ
５  フィルタ保持枠
５ａ  外周枠部
７  フィルタケース
１０  集塵フィルタ部
２０  フィルタ保持板
２２  係止部
２２ａ  開口部
２４  案内溝
２４ａ  開口部
２４ｂ  係止溝部
２４ｃ  爪
２４ｄ  保持部
３０  前面パネル
３０ａ  前面パネル格子部分
３１  係合部
３２  案内突起部
３４  把手部
３４ａ  開口
３６  波形状凹凸部
５０, ５０Ａ, ５０Ｂ  障壁部
５２  桟
５４, ５６  開口
【図１】
0003672419.tif 000002
【図２】
0003672419.tif 000003
【図３】
0003672419.tif 000004
【図４】
0003672419.tif 000005
【図５】
0003672419.tif 000006
【図６】
0003672419.tif 000007
【図７】
0003672419.tif 000008
【図８】
0003672419.tif 000009
【図９】
0003672419.tif 000010
【図１０】
0003672419.tif 000011
【図１１】
0003672419.tif 000012
【図１２】
0003672419.tif 000013
【図１３】
0003672419.tif 000014
【図１４】
0003672419.tif 000015